(57)【要約】【課題】  ラッシングベルト等、コンテナの備品の不使用時に、かかる備品をコンテナ室内に巧く収納し、コンテナの取扱い性を向上させる。【解決手段】  コンテナ室内２の壁面３に、備品を掛けて収納するフック４を、折畳み可能に設けている。備品の使用時には、フック４を折畳むことで壁面３からの突出を抑え、荷室容積の減少を防ぐことができ、かつ、荷物の積み下し時の作業性が、フック４の設置により阻害されることを防ぐことができる。一方、備品の不使用時には、フック４を引き起こし、備品をフック４に引っ掛けることで、前記備品をコンテナ室内２に巧く収納することが可能となる。フック４を妻上梁１に設けたことにより、作業者が無理な姿勢をとることなく、フック４の引き起こし、折畳み操作と、フック４に対する備品の着脱とを、容易に行うことができる。  【選択図】      図１
2005088917.tif 000002
【特許請求の範囲】
【請求項１】
コンテナ室内の壁面に、備品を掛けて収納するフックを、折畳み可能に設けたことを特徴とするコンテナ。
【請求項２】
前記フックを妻上梁に設けたことを特徴とする請求項１記載のコンテナ。
【請求項３】
前記フックはコンテナ室内の壁面に固定されるベースと、当該ベースに対し鉛直方向にスライド可能に軸支された回転軸を有するアームと、前記回転軸に固定され、かつ、前記ベースの軸受上端部に設けた切欠き部と係合する位置決めピンとを備えることを特徴とする請求項１または２記載のコンテナ。
【発明の詳細な説明】
【技術分野】
【０００１】
本発明は、コンテナ室内で荷物の固定を行うラッシングベルト等、コンテナの備品の不使用時に、当該備品をコンテナ室内に巧く収納し、コンテナの取扱い性を向上させるための技術に関するものである。
【背景技術】
【０００２】
荷台に荷物を確実かつ簡単に固定するための備品として、従来から、ラッシングベルトが用いられている。このラッシングベルトは、ベルトを荷物に掛け回し、かつ、ベルト両端に設けたフックを荷台の適当な場所に引っ掛け、ベルトの中間部をバックルで巻き上げることにより、ベルトを荷物に押付けて、荷物の固定を行うものである（例えば、特許文献１参照。）。したがって、ラッシングベルトによれば、単なるロープを用いる場合に比べ、コンテナ内の荷物の固定作業を格段に能率的で且つ効果的に行うことが可能となる。
【０００３】
【特許文献１】特開２０００−９５２６８号公報（〔０００２〕〜〔０００４〕、図１、図２）
【発明の開示】
【発明が解決しようとする課題】
【０００４】
しかしながら、コンテナが空荷状態のときや、ラッシングベルトを使用しないで荷物を搬送するような場合には、長尺帯状のラッシングベルトを荷室の床面上に単に放置しておくことは、荷室内を雑然とさせる原因となることから、これを巧くコンテナ室内に収納する必要があった。
本発明は上記課題に鑑みてなされたものであり、その目的とするところは、ラッシングベルト等、コンテナの備品の不使用時に、かかる備品をコンテナ室内に巧く収納し、コンテナの取扱い性を向上させることにある。
【課題を解決するための手段】
【０００５】
上記課題を解決するための、本発明の請求項１に記載のコンテナは、コンテナ室内の壁面に、備品を掛けて収納するフックを、折畳み可能に設けたことを特徴とするものである。
本発明によれば、前記備品をフックから外して使用する時には、フックを折畳むことで壁面からの突出を抑え、荷室容積の減少を防ぐことができる。また、当該フックを折畳むことで、荷物の積み下し時の作業性が、フックの設置により阻害されることを防ぐことができる。一方、前記備品の不使用時には、当該フックを引き起こし、前記備品をフックに引っ掛けることで、前記備品をコンテナ室内に巧く収納することが可能となる。
【０００６】
また、本発明の請求項２に記載のコンテナは、請求項１記載のコンテナにおいて、前記フックを妻上梁に設けたものである。
本発明によれば、前記フックを妻上梁に設けたことにより、作業者が無理な姿勢をとることなく、上方に手を伸ばして前記フックの引き起こし、折畳み操作と、前記フックに対する備品の着脱とを行うことができる。また、前記フックを妻上梁に設けたことにより、荷物をコンテナ室の天井一杯にまで積み込まない限り、当該フックを引き起こした状態でも、荷物に干渉することがない。よって、当該フックを設けたことによる、荷物の積み下しの作業性低下を防ぐことができる。
【０００７】
また、本発明の請求項３に記載のコンテナは、請求項１または２記載のコンテナにおいて、前記フックはコンテナ室内の壁面に固定されるベースと、当該ベースに対し鉛直方向にスライド可能に軸支された回転軸を有するアームと、前記回転軸に固定され、かつ、前記ベースの軸受上端部に設けた切欠き部と係合する位置決めピンとを備えるものである。
本発明によれば、前記回転軸を鉛直上方に引き上げることによって、前記ベースの軸受上端部に設けた切欠き部と前記回転軸の位置決めピンとの係合が解除され、前記回転軸は前記ベースに対し回転自在となる。よって、前記アームを使用位置若しくは格納位置に回転させることができる。そして、前記アームを使用位置若しくは格納位置に回転させた後、前記回転軸を鉛直下方に下げることによって、前記ベースの軸受上端部に設けた切欠き部と前記回転軸の位置決めピンとが係合し、前記ベースに対する回転軸の回転角度が固定される。よって、前記アームを、使用位置若しくは格納位置に確実に固定することができる。
【発明の効果】
【０００８】
本発明はこのように構成したので、ラッシングベルト等、コンテナの備品の不使用時に、かかる備品をコンテナ室内に巧く収納し、当該コンテナの取扱い性を向上させることが可能となる。
【発明を実施するための最良の形態】
【０００９】
以下、本発明を実施するための最良の形態（以下、「本発明の実施の形態」という。）を添付図面に基づいて説明する。
【００１０】
図１には、本発明の実施の形態に係るコンテナの、妻上梁１の周辺部を断面で示している。図示のごとく、妻上梁１のコンテナ室内２側の壁面３には、フック４が折畳み可能に設けられている。フック４は、図４（ａ）〜（ｃ）に示すベース５と、図５に示すアーム６とで構成されている。ベース５は、板状の固定部７と、鉛直方向に延びる筒状の軸受８とを一体に固定したものである。また、固定部７には、コンテナの壁面３にベース５をボルト止めするための取付け孔７ａを形成し、軸受８の上端部には、固定部７と並行に切り欠かれた切欠き部８ａと、固定部７と直交する方向に、固定部７を貫通するようにして形成された切欠き部８ｂとが形成されている。なお、軸受８は中空管に切削加工を施したものである。
一方、アーム６は、ベース５の軸受８の穴に対し摺動可能に挿通される回転軸６ａと、回転軸６ａの下端部を折り曲げて上方に反らせた傾斜部６ｂと、回転軸６ａの上端部に固定された位置決めピン６ｃとからなるものである。なお、位置決めピン６ｃと回転軸６ａとは別体部品であり、回転軸６ａをベース５の軸受８の穴に対し下方から挿通した後、回転軸６ａの上端部に位置決めピン６ｃを固定することで、位置決めピン６ｃは軸受８に対するアーム６の抜け止め手段としても機能するものである。また、図示の例では、位置決めピン６ｃは回転軸６ａに対し直交し、かつ、回転軸を中心として見たときに、位置決めピン６ｃは傾斜部６ｂの突出方向と同一方向に固定されている。
【００１１】
前述のように、アーム６の回転軸６ａは、ベース５の軸受８の穴に対し摺動可能に挿通されている。そして、図１に実線で示すように、アーム６をベース５に対し鉛直下方に下げた位置では、図１、図２に示すように、ベース５の軸受上端部に設けた切欠き部８ａ（若しくは８ｂ）と回転軸６ａの位置決めピン６ｃとが係合し、ベース５に対する回転軸６ａの回転角度が固定される。なお、図１、図２には、アーム６がフック４の使用位置にある状態を示している。また、図３には、アーム６がフック４の使用位置にある状態を実線で示している。
一方、図１に点線で示すように、アーム６をベース５に対し鉛直上方へと引き上げると、ベース５の軸受上端部に設けた切欠き部８ａ（若しくは８ｂ）と回転軸６ａの位置決めピン６ｃとの係合が解除され、回転軸６ｂはベース５に対し回転可能な状態となる。そして、図３に実線で示すフック４の使用位置と、点線で示すフック４の格納位置との間で、アーム６を回転させることが可能となる。なお、アーム６の操作は、作業者が手作業で行うものである。
【００１２】
図６には、本発明の実施の形態に係るコンテナを、図１のＡ−Ａ線において切断して見た場合の断面図を示している。図６に示すように、フック４を妻上梁１に複数並べて設けることで、複数の備品を各フック４に掛けて、コンテナ内に巧く収納することが可能となる。
【００１３】
上記構成をなす本発明の実施の形態によれば、次のような作用効果を得ることが可能となる。まず、コンテナ室内２の壁面３に、ラッシングベルト等コンテナの備品を掛けて収納するフック４を、折畳み可能に設けたことから、備品をフック４から外して使用する時には、フック４を折畳むことで壁面３からの突出を抑え、荷室容積の減少を防ぐことができる。また、フック４を折畳むことで、荷物の積み下し時の作業性が、フック４の設置により阻害されることを防ぐことができる。一方、備品の不使用時には、フック４を引き起こし、備品をフック４に引っ掛けることで、前記備品をコンテナ室内２に巧く収納することが可能となる。図７（ａ）、（ｂ）には、フック４に、備品の一例であるラッシングベルト９を引っ掛けた状態を模式的に示している。この場合、ラッシングベルト９を、ラチェット10を中心に巻き上げた状態で、フック４のアーム６に引っ掛ける。
【００１４】
また、本発明の実施の形態では、フック４を妻上梁１に設けたことにより、作業者が無理な姿勢をとることなく、上方に手を伸ばしてフック４の引き起こし、折畳み操作と、フック４に対する備品の着脱とを、容易に行うことができる。また、フック４を妻上梁１に設けたことにより、荷物をコンテナ室の天井一杯にまで積み込まない限り、フック４を引き起こした状態でも、フック４が荷物に干渉することもなく、フック４を設けたことに起因する荷物の積み下しの作業性低下を防ぐことができる。
【００１５】
また、本発明の実施の形態では、４フックはコンテナ室内２の壁面３に固定されるベース５と、ベース５に対し鉛直方向にスライド可能に軸支された回転軸６ａを有するアーム６と、回転軸６ａに固定され、かつ、ベース５の軸受８の上端部に設けた切欠き部８ａ、８ｂと係合する位置決めピン６ｃとを備えるものである。
したがって、回転軸６ａを鉛直上方に引き上げることによって、ベース５の軸受８の上端部に設けた切欠き部８ａ、８ｂと回転軸６ａの位置決めピン６ｃとの係合が解除され、回転軸６ａは回転自在となる。よって、アーム６を使用位置若しくは格納位置に回転させることができる。そして、アーム６を使用位置若しくは格納位置に回転させた後、回転軸６ａを鉛直下方に下げることによって、ベース５の軸受上端部に設けた切欠き部８ａ、８ｂと回転軸６ａの位置決めピン６ｃとが係合し、回転軸６ａの回転角度が固定される。よって、アーム６は、使用位置若しくは格納位置に確実に固定されることとなる。
以上より、本発明の実施の形態によれば、ラッシングベルト等、コンテナの備品の不使用時に、かかる備品をコンテナ室内２に巧く収納し、当該コンテナの取扱い性を向上させることが可能となる。
【図面の簡単な説明】
【００１６】
【図１】本発明の実施の形態に係るコンテナの、妻上梁の周辺部を示す断面図である。
【図２】図１に示す本発明の実施の形態に係るフックの正面図である。
【図３】図１に示す本発明の実施の形態に係るフックの上面図である。
【図４】図１に示す本発明の実施の形態に係るフックを構成するベースの単体図であり、（ａ）はその上面図、（ｂ）はその正面図、（ｃ）はその側面図である。
【図５】図１に示す本発明の実施の形態に係るフックを構成するアームの単体図である。
【図６】図１のＡ−Ａ線における断面図である。
【図７】本発明の実施の形態に係るフックに、備品の一例であるラッシングベルトを引っ掛けた状態を模式的に示すものであり、（ａ）は側面図、（ｂ）は正面図である。
【符号の説明】
【００１７】
１：妻上梁、２：コンテナ室内、３：壁面、４：フック、５：ベース、６：アーム、６ａ：回転軸、６ｂ：傾斜部、６ｃ：位置決めピン、７：固定部、８：軸受、  ８ａ、８ｂ：切欠き部
【図１】
2005088917.tif 000003
【図２】
2005088917.tif 000004
【図３】
2005088917.tif 000005
【図４】
2005088917.tif 000006
【図５】
2005088917.tif 000007
【図６】
2005088917.tif 000008
【図７】
2005088917.tif 000009